(57)【要約】 【課題】膝、肘等の関節に使用するサポーターにおいて、筋力の衰え等によって変形する関節を正常状態に維持させて運動機能自体を高める作用を備えたものを提供する。【解決手段】装着対象の関節を挟んだ上下位置でそれぞれ圧迫装着可能な伸縮バンド３を備えると共に、前記伸縮バンドの内側位置に、複数の筋肉位置と対応する筋肉圧迫用パッド部２を設けて、サポーター装着時に関節部位を挟んだ筋肉群に対して刺激を与え、同刺激が隣接筋肉にも刺激（筋共収縮作用：ある筋肉の一部を加圧するとその筋肉及び関節分節、関節を跨いだ筋肉にも作用する）を与えることによって、各筋群を良好に働かせる。【選択図】図２
0003198169.tif 000002
【実用新案登録請求の範囲】
【請求項１】
装着対象の関節を挟んだ上下位置でそれぞれ圧迫装着可能な伸縮バンドを備えると共に、前記伸縮バンドの内側位置に、複数の筋肉位置と対応する筋肉圧迫用パッド部を設けてなることを特徴とする関節用サポーター。
【請求項２】
関節全体を包み込んで連結できるサポーター本体に伸縮バンドを縫着すると共に、サポーター本体に筋肉圧迫用パッド部を設けてなる請求項１記載の関節用サポーター。
【請求項３】
関節全体を包み込む筒状のサポーター本体に伸縮バンドを縫着すると共に、サポーター本体に筋肉圧迫用パッド部を設けてなる請求項１記載の関節用サポーター。
【請求項４】
筋肉圧迫用パッド部を連続する突条で形成してなる請求項１乃至３記載の何れかの関節用サポーター。
【請求項５】
筋肉圧迫用パッド部が間欠的に設けられている突出条で形成してなる請求項１乃至３記載の何れかの関節用サポーター。
【請求項６】
筋肉圧迫用パッド部が、膝上前面側に対応するパッド、膝下前面側と対応するパッド、膝下後面側と対応するパッドで構成してなる請求項１乃至５記載の何れかの関節用サポーター。
【考案の詳細な説明】
【技術分野】
【０００１】
本考案は、膝関節や肘関節の運動機能を高める関節用サポーターに関するものである。
【背景技術】
【０００２】
筋力の低下、加齢、肥満などが原因で膝関節の機能が低下し、各部位の変形や断裂などで傷みを伴う変形性関節症の対応として、従前より種々の膝関節用のサポーターが提案されている。
【０００３】
例えば特開２０１２−５５４２９号公報には、膝関節全体を包むように拘束して、膝を安定させ、更に走行補助としてバネ材を付設している膝サポーターが開示されている。
【０００４】
またサポーターに突起部を設けてツボを刺激することで、膝痛を緩和することを提案したサポーターも知られている。例えば特許文献１（特開２００１−１７４６２号公報）及び特許文献２（特開２００４−２５５０４７号公報）には、サポーターに膝の裏側のツボ（委中）と対応する位置に突出パッドを設け、サポーター装着時に前記のツボを刺激し膝痛を緩和する構造の物が開示されている。
【０００５】
更に特許文献３（実開平７−５６１３号公報）には、サポーター装着時に、大腿の前方筋の一つである内側広筋遠位部を圧迫する突起部（パッド）を備えた膝関節用のサポーターが開示されている。
【先行技術文献】
【特許文献】
【０００６】
【特許文献１】特開２００１−１７４６２号公報。
【特許文献２】特開２００４−２５５０４７号公報。
【特許文献３】実開平７−５６１３号公報。
【考案の概要】
【考案が解決しようとする課題】
【０００７】
突起部を備えて、人体の所定の箇所を刺激して痛みの緩和（変形性関節症の症状緩和）するサポーターは前記の通り公知であるが、単に痛みを緩和するのみでは、歩行補助（運動機能の向上）を達成することができず、結果的に膝自体が受ける負担は変化がなく、老化の進行による筋力の低下が進行してしまう。
【０００８】
そこで本考案は、運動機能自体を向上させる関節用サポーターを提案したものである。
【課題を解決するための手段】
【０００９】
本考案に係る関節用サポーターは、装着対象の関節を挟んだ上下位置でそれぞれ圧迫装着可能な伸縮バンドを備えると共に、前記伸縮バンドの内側位置に、複数の筋肉位置と対応する筋肉圧迫用パッドを設けてなることを特徴とするものである。
【００１０】
而して前記サポーターを装着すると、筋肉圧迫用パッドが関節部位の上下の筋肉に当たり、関節関連の筋肉群を押圧刺激することになり、例えば膝関節に装着して歩行動作を行うと、伸縮バンドによって筋肉圧迫用パッドが抑えられているので、パッド当接部位の筋肉の動きによって、圧迫程度に強弱が生じ、その刺激が隣接筋肉にも刺激（筋共収縮作用：ある筋肉の一部を加圧するとその筋肉及び関節分節、関節を跨いだ筋肉にも作用する）を与えることになり、結果的に各筋群が良好に働き、正しい歩行姿勢や運動能力（筋力）を高めることになる。
【考案の効果】
【００１１】
本考案は上記のとおり、関節部位を挟んだ筋肉群に対して刺激を与える筋肉圧迫用パッドを備えた関節用サポーターで、例えば膝に装着すると、下肢筋の筋共収縮によって、関節が働き易くなり動体姿勢とも良くなる。更に各筋群が良く働き、自然な足趾歩行が行われ、結果的に足趾諸根関節及び股関節、脊椎下部分節、勿論膝関節が正常化し、正しい姿勢と健康を得ることができると共に、筋共収縮によって、各筋群の働きも増加して運動能力を大幅に向上させるサポーターを提供できたものである。
【図面の簡単な説明】
【００１２】
【図１】本考案の実施形態（第一実施例）の表面図。
【図２】同裏面図。
【図３】同装着状態の説明図。
【図４】同第二実施例の表面図。
【図５】同裏面図。
【図６】同装着状態の説明図。
【考案を実施するための形態】
【００１３】
次に本考案の実施形態について説明する。図１乃至３は膝関節用サポーター（第一実施例）を示したもので、サポーター本体１と、筋肉圧迫用パッド部２と、伸縮バンド３を備えているものである。
【００１４】
サポーター本体１は、表布１１と裏布１２の二枚重ね構造で、膝関節に巻き付けて膝関節全体を包み込む大きさで、巻き付け装着した際に膝裏面と対応する箇所に、膝屈曲時にサポーター本体１が抵抗とならないための適宜な大きさの透孔部１３を設けると共に、巻き付け装着できるように、裏面端縁箇所に、表布１１と絡着する面ファスナー１４を縫着したものである。
【００１５】
筋肉圧迫用パッド部２は、細長クッション体２１を、サポーター本体１の表裏布間に配置すると共に、その周囲部分を縫合して所定位置に形成したものである。具体的には膝上前面パッド２ａ、膝下前面パッド２ｂ、膝下後面パッド２ｃをそれぞれ間欠的な突条となるように設けたものである。
【００１６】
伸縮バンド３は、適宜な伸縮性を備えたゴムバンドで、サポーター本体１の表面側に、前記筋肉圧迫用パッド部２と対応する上方バンド３１と下方バンド３２を、バンド中間部分をサポーター本体１に縫着して設けたもので、上下バンド３１，３２の各一方端の表裏に面ファスナー３３を設け、他方端は裏面に面ファスナー３４を設けたものである。
【００１７】
而して図３に示すように脚の膝部位を覆うようにサポーター本体１を巻き付け、表布１１と面ファスナー１４とを絡着して膝に装着する。次に上下バンド３１，３２の一方端を引っ張って表布１１に絡着し、そして他方端を引いて面ファスナー３３，３４を絡着してサポーターが膝に装着されるものである。
【００１８】
前記の装着によって筋肉圧迫用パッド部２が伸縮バンド３によって膝関節の上下位置で押し付けられることになり、且つ歩行動作等によって、前記の押しつけ程度に緩急がつけられる。
【００１９】
具体的には、膝上前面パッド２ａが、中間広筋、大腿直筋、外側広筋、内側広筋、大腿二頭筋、半腱様筋、半膜様筋の起始近部位を押圧し、膝下前面パッド２ｂが前脛骨筋、長腓骨筋、長趾伸筋の起始近部位を押圧し、膝下後面パッド２ｃが腓腹近、ヒラメ筋、足底筋、後腓骨筋、長趾屈筋、長母趾屈筋の起始近部を押圧することになる。
【００２０】
これらの筋肉への刺激によって筋力増加や運動能力向上がなされることは、以下の実施で裏付けられた。
【００２１】
各測定は、３０代から６０代の男性３１人、女性４人に対して行ったもので、足趾筋群の筋力測定として、「重量物から１５ｃｍ離れ、足趾付け根部位に重量物を縄掛けし、鉛直上に持ち上げた」結果を測定し、足趾及び足関節、股関節の可動測定として、「片足立ちし、片方の足を６０％伸展持ち上げして、足趾を外旋する測定」を行った。また「片足立ちし、片方の足を６０％伸展持ち上げして、足趾を内旋する測定」を行った。
【００２２】
更に足趾伸展持ち上げ能力について「膝関節を伸展したまま、ゆっくり足趾を上げ、その地面から足踵までの距離を測定」し、以上の結果は、下記の表１のとおりである。
【００２３】
【表１】
0003198169.tif 000003
【００２４】
また体幹可動域計測の結果は、下記表２のとおりである。
【００２５】
【表２】
0003198169.tif 000004
【００２６】
更に運動能力の結果は下記表３のとおりである。
【００２７】
【表３】
0003198169.tif 000005
【００２８】
また長期間の使用による肢体変化について測定した。実施者は、２０代から８０代の男性３１人、女性５１人に対して、１日連続３０分以上装着して歩行等の通常生活を行ってもらって、２週間後に測定した平均が表４のとおりである。
【００２９】
【表４】
0003198169.tif 000006
【００３０】
上記の測定結果から、装着時の筋力増加と運動能力向上が認められ、且つ使用を継続することで、姿勢が安定し、老化等による膝関節の変形が解消（自然治癒）されることになるものである。
【００３１】
また本考案に係る関節用サポーターは、上記した膝用のサポーターに限定されるものではなく、図４乃至６に示す肘関節用サポーター（第二実施例）にも適用できるものである。この肘用サポーターも、サポーター本体４と、筋肉圧迫用パッド部５と、伸縮バンド６を備えているものである。
【００３２】
サポーター本体４は、特に全体を筒状に形成し、肘屈曲時にサポーター本体４が抵抗とならないための適宜な大きさの透孔部４１を設けると共に、伸縮バンド６の一方端を絡着する面ファスナー４２を設けているものであ。
【００３３】
筋肉圧迫用パッド部５は、サポーター本体４の上下に設けているもので、連続的な突条となるように設けており、伸縮バンド６は、ゴムバンドでサポーター本体４の表面側に、前記筋肉圧迫用パッド部５と対応する上方バンド６１と下方バンド６２を、バンド中間部分をサポーター本体４に逢着して設けたもので、上下バンド６１，６２の各一方端の表裏に面ファスナー６３ａ，６３ｂを設け、他方端は裏面に面ファスナー６４を設けたものである。
【００３４】
而して図６に示すように肘部位を覆うようにサポーター本体４を腕に通し、面ファスナー４２に上下バンド６１，６２の一方端の面ファスナー６３ａを面ファスナー４２に絡着し、そして他方端を引いて面ファスナー６３ｂ，６４を絡着してサポーターが肘に装着されるものである。
【００３５】
前記の第二実施例の肘用サポーターも関節を挟んだ上下位置（関節の動作を決める筋肉群の部位）を押圧刺激するもので、膝の場合と同様な効果を奏するものである。
【符号の説明】
【００３６】
１，４      サポーター本体
１１    表布
１２    裏布
１３，４１    透孔部
１４，４２    面ファスナー
２，５      筋肉圧迫用パッド部
２１    細長クッション体
２ａ    膝上前面パッド
２ｂ    膝下前面パッド
２ｃ    膝下後面パッド
３，６      伸縮バンド
３１，６１    上方バンド
３２，６２    下方バンド
３３，３４，６３ａ，６３ｂ，６４    面ファスナー
【図１】
0003198169.tif 000007
【図２】
0003198169.tif 000008
【図３】
0003198169.tif 000009
【図４】
0003198169.tif 000010
【図５】
0003198169.tif 000011
【図６】
0003198169.tif 000012